【事件の表示】
　特願２００８−２３８９０８「表示装置用駆動回路」拒絶査定不服審判事件〔平成２１年　２月２６日出願公開、特開２００９−　４２７７４〕について、次のとおり審決する。
【結　論】
　本件審判の請求は、成り立たない。
【理　由】
１．手続の経緯
　本願は、平成１４年４月２６日にした出願（特願２００２−１２６３９９、以下、これを、原出願という。）の一部を分割した、特願２００７−１１９４３１をさらに分割し、平成２０年９月１８日に新たな特許出願としたものであって、特許請求の範囲について平成２２年２月５日付けで補正がなされ、同年７月２日付け（送達：同年８月３日）で拒絶査定がなされ、これに対し、同年１０月２７日に拒絶査定不服審判が請求されると同時に、特許請求の範囲について補正がなされた（以下、「本件補正」という。）ものである。
そして、本件補正は請求項１、４〜６の削除を目的としたものであり、適法である。
　
　
２．本願発明
　してみると、本願の請求項１ないし２に係る発明は、本件補正によって補正された明細書、特許請求の範囲及び図面の記載からみて、その特許請求の範囲の請求項１ないし２に記載された事項により特定されるとおりのものと認められるところ、その請求項１に係る発明は、次のとおりである。 
　
「外部からの階調データに応じた階調電圧を画素部へ出力する表示装置用駆動回路において、
　基準電圧から複数レベルの階調電圧を生成するための生成回路と、
　前記階調データに応じたレベルの階調電圧を前記複数レベルの階調電圧の中から選択するセレクタとを備え、
　前記階調データは、ＲＧＢの各色ごとに多ビットを含み、
　前記生成回路は、外部からの減色モードを示すデータによらず、最高レベルの階調電圧及び最低レベルの階調電圧を常に出力し、
　前記生成回路は、前記外部からの減色モードを示すデータに従って、最高レベルの階調電圧及び最低レベルの階調電圧を除く、各レベルの階調電圧の出力数を制御する出力選択回路を備え、
　前記生成回路は、減色しない場合に、前記最高レベルの階調電圧及び最低レベルを除く複数レベルの階調電圧を前記出力選択回路から出力し、
　前記生成回路は、減色する場合に、減色により表示に不要となるレベルの階調電圧の出力を前記出力選択回路によって停止し、
　前記生成回路は、前記基準電圧を分割する抵抗と、分割後の電圧をバッファリングするオペアンプとを備え、
　前記生成回路は、最高レベルの階調電圧及び最低レベルの階調電圧に対応する前記オペアンプへの電源を常に供給し、
　前記生成回路は、減色しない場合に、前記最高レベルの階調電圧及び最低レベルの階調電圧を除く、各レベルの階調電圧に対応する前記オペアンプへの電源を供給し、
　前記生成回路は、減色する場合には、減色により表示に不要となるレベルの階調電圧に対する前記オペアンプヘ供給する電源を停止することによって、前記減色モードを示すデータに従って表示に必要となるレベルの階調電圧を出力し、表示に不要となるレベルの階調電圧の出力を停止することを特微とする表示装置用駆動回路。」（以下、「本願発明」という。） 
　
　
３．引用例記載の事項・引用発明
　これに対して、原査定の拒絶の理由に引用され、原出願の出願前に頒布された刊行物である特開平１０−３２６０８４号公報（以下、「引用例１」という。）には、次の事項が図面とともに記載されている。
　
（１−１）
「【発明の詳細な説明】
【０００１】
【発明の属する技術分野】本発明は表示装置に関する。より詳しくは、デジタル画像信号に基づいて階調表現ができる表示装置の低消費電力化技術に関する。
【０００２】
【従来の技術】図３は、従来の表示装置を示す模式的なブロック図である。この表示装置は画像信号供給手段と基準電圧供給手段とディスプレイパネルとを備えている。画像信号供給手段はアナログ／デジタルコンバータ（Ａ／Ｄ）１１からなり、アナログ画像信号を量子化して、所定のビット数で表わされる多階調のデジタル画像信号（デジタルデータ）に変換する。図示の例では、デジタルデータはＤ０〜Ｄ４の４ビット構成であり、２４＝１６階調の画像表現ができる。基準電圧供給手段は直列接続された抵抗Ｒを含み、電源電圧ＶＤＤ２を抵抗分割して各階調に対応した１６個の基準電圧Ｖ０〜Ｖ１５を生成する。この基準電圧供給手段は階調毎に設けたバッファを介して各基準電圧Ｖ０〜Ｖ１５を出力する。バッファは所定の電圧ＶＤＤ１の供給を受けて動作する定電圧回路（電圧安定化回路）であり、出力負荷の変動に関わらず一定の基準電圧を供給可能な容量を備えている。ディスプレイパネル３はマトリクス配置された画素を備えるとともに、Ａ／Ｄ１１から供給されたデジタルデータＤ０〜Ｄ３に基づいて画素毎に割り当てられた階調を特定する。更に、特定された階調に対応した基準電圧Ｖ０〜Ｖ１５を各画素に印加して多階調表現の表示を写し出す。
【０００３】図４は４ビット（Ｄ０，Ｄ１，Ｄ２，Ｄ３）パラレル構成のデジタルデータと基準電圧Ｖ０〜Ｖ１５の対応関係を示す表図である。ある画素に割り当てられたデジタルデータ（Ｄ０，Ｄ１，Ｄ２，Ｄ３）が（１，１，１，１）の値を取る時、当該画素には最高位の基準電圧Ｖ０が印加される。ディスプレイパネル３がノーマリホワイトモードでモノクロ表示を行なう場合、当該画素は最高位の基準電圧Ｖ０の印加によって黒色を呈する。又、デジタルデータ（Ｄ０，Ｄ１，Ｄ２，Ｄ３）が（０，０，０，０）の値を取る時、画素には最低位の基準電圧Ｖ１５が印加され、白色を呈する。デジタルデータ（Ｄ０，Ｄ１，Ｄ２，Ｄ３）の値が（１，０，０，０）である場合には、ほぼ中間の基準電圧Ｖ７が印加され、画素はほぼ中間の灰色を呈する。この様に、ディスプレイパネル３は４ビットパラレル構成のデジタルデータの値に応じて黒色から白色にかけて１６階調に分かれた明度を画素に付与する。
【０００４】
【発明が解決しようとする課題】上述した従来例では４ビット構成のデジタルデータに応じて表示階調数が１６となっており、１６レベルの基準電圧が必要である。これに応じて、基準電圧供給手段には１６個のバッファが用意されている。８ビット構成のデジタルデータの場合には表示階調数が２８＝６４となり、６４レベルの基準電圧が必要である。これに応じて、基準電圧供給手段には６４個のバッファが設けられることになる。この様に、従来のデジタル入力の表示装置では、表示階調数に応じて基準電圧の入力レベル数を増やす必要がある。この為、各基準電圧を供給するバッファの個数も増え、消費電力も増加することになる。各バッファは一定の電圧ＶＤＤ１の供給を受けて電圧安定化動作を行なっており、常にバイアス電流が流れている。
【０００５】ところで、上述した表示装置をノート型パーソナルコンピュータなどの携帯情報機器の出力デバイスとして用いる場合、ディスプレイパネルにはアプリケーションの種類によって種々の画像が写し出され、表示内容は多岐に渡っている。例えば、携帯情報機器をワードプロセッサとして用いた場合、ディスプレイパネルには主として文字が写し出され、表示階調は黒と白の２レベルに集中することになる。又、ゲーム機として用いた場合にはある程度中間調を含んだグラフィックが写し出される場合が多い。更には、デジタルカメラで撮影した写真の再生もしくは加工に用いる場合など、ディスプレイパネルには多様且つ複雑な階調変化を伴った画像が写し出されることが多い。しかしながら、従来の表示装置では画像の内容に関わらず全ての階調に対応した基準電圧を常時供給しており、その分各バッファで多大な電力を消費していた。表示内容によっては不要な階調レベルがあるにも関わらず、初期設定通り全ての基準電圧を供給する為、不要な電力を消費することが多々あった。これは、特にノート型パーソナルコンピュータなど携帯情報機器の出力デバイスに用いる場合内蔵電池の寿命の短縮化につながり、解決すべき課題となっていた。
【０００６】
【課題を解決する為の手段】上述した従来の技術の課題を解決する為に以下の手段を講じた。即ち、本発明に係る表示装置は基本的な構成として画像信号供給手段と基準電圧供給手段とディスプレイパネルとを備えている。画像信号供給手段は所定のビット数で表わされる多階調のデジタル画像信号を供給する。基準電圧供給手段は各階調に対応した複数の基準電圧を生成し且つ階調毎に設けたバッファを介して出力する。ディスプレイパネルはマトリクス配置された画素を備えるとともに該デジタル画像信号に基づいて画素毎に割り当てられた階調を特定し、該階調に対応した基準電圧を各画素に印加して表示を写し出す。特徴事項として、前記画像信号供給手段は、表示の内容に応じて該デジタル画像信号の階調数を落として該パネルに供給するとともに、該基準電圧供給手段を制御して省かれた階調に対応するバッファの動作を停止する。
【０００７】例えば、前記画像信号供給手段は、表示の内容が比較的複雑な階調の変化を呈する場合初期的に設定された多階調を維持する一方、表示の内容が比較的単純な階調の変化を呈する場合階調を落とす。あるいは、前記画像信号供給手段は、表示の内容を表わす階調分布に従って比較的発現頻度が高い範囲は初期的に設定された階調を維持する一方、比較的発現頻度が低い範囲は部分的に階調を落とす。
【０００８】通常、デジタル入力のディスプレイパネルは、多階調になる程ディスプレイパネルに入力する基準電圧の数は増え、負荷を駆動するバッファの消費電力は増大する。本発明では、デジタル画像信号の内容に応じて表示階調を減らすことにより、ほとんど使用されない基準電圧に対応したバッファの動作を停止し、システム全体の低消費電力化を図る。例えば、入力されたデジタル画像信号に応じて、初期設定された多階調よりも少ない階調に変換する。使用しない階調のバッファを完全に止めることにより、止めたバッファが消費していた電力分を減らすことができる。あるいは、入力されたデジタル画像信号の階調分布に応じて、相対的に発現頻度が少ない階調を削除する。削除により使用しないことになる階調のバッファを完全に止めることにより、その止めたバッファが消費していた電力分を減らすことができる。この様に、本発明では入力信号に依存して表示階調数を適応的に調整することにより、画質を実質上劣化させることなく不要なバッファの動作を抑制することが可能になり、システム全体の低消費電力化が達成できる。
【０００９】
【発明の実施の形態】以下図面を参照して本発明の実施の形態を詳細に説明する。図１は、本発明に係る表示装置の実施の形態を示す模式的なブロック図である。図示する様に、本表示装置は基本的な構成として画像信号供給手段１と基準電圧供給手段２とディスプレイパネル３とを備えている。画像信号供給手段１は所定のビット数で表わされる多階調のデジタル画像信号をディスプレイパネル３に供給する。本実施形態ではＤ０〜Ｄ３の４ビットで表わされる１６階調のデジタルデータをディスプレイパネル３に供給している。なお、本発明はこれに限られるものではなく６４階調や２５６階調のデジタルデータを供給するようにしてもよい。階調数が増加する程本発明の効果は顕著になる。本実施形態では画像信号供給手段１はアナログ／デジタルコンバータ１１を含んでおり、外部から入力したアナログ画像信号をデジタル画像信号に変換している。但し、本発明はこれに限られるものではなく、デジタル画像信号をシステム内で生成し、これを直接ディスプレイパネル３に供給する方式であってもよい。基準電圧供給手段２は直列接続された抵抗Ｒを含んでおり、電源電圧ＶＤＤ２を抵抗分割して各階調に対応した１６レベルの基準電圧Ｖ０〜Ｖ１５を生成する。基準電圧供給手段２は各抵抗Ｒの一端に接続されたバッファを介してそれぞれの基準電圧Ｖ０〜Ｖ１５をディスプレイパネル３側に出力する。個々のバッファは一定の電圧ＶＤＤ１の供給を受けて動作している。なお、各バッファにはスイッチＳＷ０〜ＳＷ１５がそれぞれ取り付けられており、選択的にバイアス用の一定電圧ＶＤＤ１のオン／オフが制御可能になっている。スイッチＳＷがオフになると、バッファに対する一定電圧ＶＤＤ１の印加が遮断され、バッファは動作を停止するとともにバイアス電流がほぼ完全に流れないことになる。ディスプレイパネル３は例えばアクティブマトリクス型のＬＣＤであり、マトリクス配置された画素を備えている。ディスプレイパネル３は画像信号供給手段１から供給されたデジタル画像信号（Ｄ０，Ｄ１，Ｄ２，Ｄ３）に基づいて画素毎に割り当てられた階調を特定する。更に、特定された階調に対応した基準電圧（Ｖ０〜Ｖ１５）を各画素に印加して表示を写し出す。特徴事項として、画像信号供給手段１は階調変換／バッファ制御回路１２を備えている。この階調変換／バッファ制御回路１２は、表示の内容に応じてデジタル画像信号の階調数を落としてディスプレイパネル３に供給するとともに、基準電圧供給手段２を制御して省かれた階調に対応するバッファの動作を停止する。具体的には、個々のバッファに取り付けられたスイッチＳＷ０〜ＳＷ１５を選択的にオン／オフ制御して、各バッファを動作状態と非動作状態の間で切り換える。この様に、本発明に係る表示装置は信号入力の内容に依存して適応的にバッファの動作／非動作を制御する。なお、本実施形態では階調変換／バッファ制御回路１２は外部から入力される垂直同期信号ＶＳＹＮＣに応じて動作しており、フレーム毎に階調変換及びバッファ制御を行なっている。
【００１０】好ましくは、画像信号供給手段１は、表示の内容が比較的複雑な階調の変化を呈する場合初期的に設定された多階調を維持する一方、表示の内容が比較的単純な階調の変化を呈する場合階調を落とす様にしている。これにより、画質を実質的に劣化させることなく階調の適応的な設定が可能になる。具体的には、入力信号に応じて、初期設定されたデフォルトの階調よりも少ない、オプションの階調に変換して、使用しない階調のバッファを完全に止めることにより、その止めたバッファの消費していた電力分を減らすことが可能になる。本実施形態のシステムでは、デフォルトとして１６階調を設定してある。又、オプションとして８階調が設定されている。例えば、１６階調の１階調おきに８階調を設定することができる。他のオプションとして４階調も設定されている。例えば１６階調の３階調おきに４階調を設定すればよい。画面毎の階調分布を解析し、その結果に応じて１６階調の入力信号を８階調あるいは４階調に変換して表示する。なお、階調変換は表示内容を解析してシステムが自動的に行なうことも可能であるが、場合によっては手動でオプションの階調のいずれかを選択してもよい。
【００１１】例えば、ノート型パーソナルコンピュータをワードプロセッサとして用いた場合、ディスプレイパネル３に表示される画像は、白黒の２階調が画面全体の大部分を占める。従来のシステムではこの様な入力信号がアプリケーションで生成された場合でも、全ての基準電圧に対応したバッファが動作しており不必要な電力を消費している。この点に鑑み、本発明では例えば１６階調表現が可能なシステムにおいて、入力信号が白黒の２階調を多く含む場合、表示階調を例えばデフォルトの１６階調からオプションの４階調に変換することにより、不使用となる残りの１２階調の基準電圧用バッファを完全に停止する。例えば、ＳＷ１〜ＳＷ４、ＳＷ６〜ＳＷ９、ＳＷ１１〜ＳＷ１４をオフすることにより、これらのＳＷに対応したバッファが消費する電力分を減らすことができる。換言すると、ＳＷ０，ＳＷ５，ＳＷ１０及びＳＷ１５のみがオンとなり、４階調の基準電圧Ｖ０，Ｖ５，Ｖ１０，Ｖ１５のみがディスプレイパネル３に供給されることになる。
【００１２】又好ましくは、本実施形態では、画像信号供給手段１は表示の内容を表わす階調分布に従って比較的発現頻度が高い範囲は初期的に設定された階調を維持する一方、比較的発現頻度が低い範囲は部分的に階調を落とす様にしている。即ち、入力信号の階調分布に応じて、相対的に少ない階調を削除し、削除して使用しない階調のバッファを完全に止めることにより、その止めたバッファの消費していた電力分を削減する。例えば、視野として「空」を含む風景画を表わす信号入力があった場合、白側の階調が画面全体の大部分を占める。従来のシステムではこの様な信号入力があった場合でも、全ての基準電圧に対応したバッファが動作しており、不必要な電力を消費している。この点に鑑み、本実施形態では、例えばデフォルトとして１６階調表示が可能なシステムにおいて、入力信号が白側階調を多く含む場合には、白側の８階調をデフォルトの設定通りに表示し、黒側の表示階調をデフォルトの８階調から適応的に２階調に減らす。例えば、ＳＷ１〜ＳＷ３とＳＷ５〜ＳＷ７を選択的にオフする。この様に、全体を１０階調とし、残りの６階調分のバッファを停止することにより、その止めたバッファの消費していた電力分を節約することが可能である。なお、デフォルトの１６階調を１０階調に落としても、実質的に画質を落とすことはない。
【００１３】図２は、図１に示したディスプレイパネル３の具体的な構成例を示すブロック図である。図示する様に、ディスプレイパネル３はアクティブマトリクス型であり、画面部には互いに交差するゲート線Ｘと信号線Ｙが配列されている。行状のゲート線Ｘと列状の信号線Ｙとの交差部には画素ＰＸＬと補助容量Ｃｓが形成されている。画素ＰＸＬは画素電極とこれに対面する対向電極３９とで構成されており、両電極の間に液晶などの電気光学物質が保持されている。各画素ＰＸＬは薄膜トランジスタＴｒによって駆動される。薄膜トランジスタＴｒのドレイン電極は対応する画素ＰＸＬ及び補助容量Ｃｓに接続され、ソース電極は対応する信号線Ｙに接続され、ゲート電極は対応するゲート線Ｘに接続されている。各ゲート線ＸはＶシフトレジスタ３１に接続されており、線順次で選択走査される。選択されたゲート線Ｘに接続する一行分の薄膜トランジスタＴｒは導通状態に置かれる。この結果、一行分の画素ＰＸＬはそれぞれ対応する信号線Ｙに電気接続されることになる。
【００１４】マトリクス配列された画素ＰＸＬを含む画面の上端には、周辺駆動回路部として、Ｈシフトレジスタ３２、入力線３３、サンプリングスイッチ３４、ビットレジスタ３５、ラッチ３６、デコーダ３７、基準電圧供給線３８などが形成されている。Ｈシフトレジスタ３２は４個１組となったサンプリングスイッチ３４を順次開閉制御し、入力線３３を介して外部から供給された４ビットパラレル構成のデジタルデータ（Ｄ０，Ｄ１，Ｄ２，Ｄ３）をサンプリングし、対応するビットレジスタ３５に格納する。一行分の画素に対応するデジタルデータのサンプリングが完了した時点で、ビットレジスタ３５に格納されたデジタルデータは一斉にラッチ３６に読み出される。更に、デコーダ３７はラッチ３６に格納されたデジタルデータを解読して、画素毎に割り当てられた基準電圧を特定する。デコーダ３７は１６個の出力端子に接続されたＳＷのいずれか一つをオン状態とし、基準電圧供給線３８を介して外部から供給された基準電圧Ｖ０〜Ｖ１５の内特定されたレベルを選択して、対応する信号線Ｙに供給する。この結果、画素ＰＸＬには薄膜トランジスタＴｒを介して特定の基準電圧が書き込まれることになる。
【００１５】
【発明の効果】以上説明したように、本発明によれば、表示の内容に応じてデジタル画像信号の階調数を落してディスプレイパネルに供給するとともに、基準電圧供給源を制御して省かれた階調に対応するバッファの動作を停止している。入力信号に依存して表示階調数を調整することにより、画質を実質的に劣化させることなく不要な基準電圧に対応したバッファを非動作状態とすることで、システム全体の低消費出力化を図ることが可能になる。」
　
　そして、これらの記載事項を総合勘案すると、引用例１には次の発明が記載されていると認められる。
　
【引用例１に記載された発明】
「外部からのアナログ画像信号（階調データに相当。）に応じた基準電圧（階調電圧に相当。）をディスプレイパネル３の画素部（画素部に相当。）へ出力する、画像信号供給手段１、基準電圧供給手段２及びデコーダ３７（表示装置用駆動回路に相当。）において、
　電源電圧ＶＤＤ２（基準電圧に相当。）から１６レベルの基準電圧Ｖ０〜Ｖ１５（複数レベルの階調電圧に相当。）を生成するための基準電圧供給手段２（生成回路に相当。）と、
　前記アナログ画像信号に応じたレベルの基準電圧（階調データに応じたレベルの階調電圧に相当。）を前記１６レベルの基準電圧Ｖ０〜Ｖ１５（複数レベルの階調電圧に相当。）の中から特定（選択に相当。）するデコーダ３７（セレクタに相当。）とを備え、
　前記基準電圧供給手段２（生成回路に相当。）は、
最高位の基準電圧Ｖ０（最高レベルの階調電圧に相当。）及び最下位の基準電圧Ｖ１５（最低レベルの階調電圧に相当。）を出力し、
　前記基準電圧供給手段２（生成回路に相当。）は、前記外部からの、手動による８階調あるいは４階調のオプション階調の選択（減色モードを示すデータに相当。）に従って、最高位の基準電圧Ｖ０（最高レベルの階調電圧に相当。）及び最下位の基準電圧Ｖ１５（最低レベルの階調電圧に相当。）を除く、基準電圧Ｖ１〜Ｖ１４（各レベルの階調電圧に相当。）の出力数を制御する、バッファ及びスイッチＳＷ１〜ＳＷ１４（出力選択回路に相当。）を備え、
　前記基準電圧供給手段２（生成回路に相当。）は、階調を落とさない場合（減色しない場合に相当。）に、前記最高位の基準電圧Ｖ０（最高レベルの階調電圧に相当。）及び最下位の基準電圧Ｖ１５（最低レベルに相当。）を除く基準電圧Ｖ１〜Ｖ１４（複数レベルの階調電圧に相当。）を前記バッファ及びスイッチＳＷ１〜ＳＷ１４（出力選択回路に相当。）から出力し、
　前記基準電圧供給手段２（生成回路に相当。）は、階調を落とす場合（減色する場合に相当。）に、階調を落とすことにより（減色によりに相当。）表示に不要となるレベルの基準電圧（不要となるレベルの階調電圧に相当。）の出力を前記バッファ及びスイッチＳＷ１〜ＳＷ１４（出力選択回路に相当。）によって停止し、
　前記基準電圧供給手段２（生成回路に相当。）は、前記電源電圧ＶＤＤ２（基準電圧に相当。）を分割する、直列に接続された抵抗Ｒ（抵抗に相当。）と、分割後の電圧をバッファリングするバッファ（オペアンプに相当。）とを備え、
　前記基準電圧供給手段２（生成回路に相当。）は、最高位の基準電圧Ｖ０（最高レベルの階調電圧に相当。）及び最下位の基準電圧Ｖ１５（最低レベルの階調電圧に相当。）に対応する前記バッファ（オペアンプに相当。）への一定電圧ＶＤＤ１（電源に相当。）を供給し、
　前記基準電圧供給手段２（生成回路に相当。）は、階調を落とさない場合（減色しない場合に相当。）に、前記最高位の基準電圧Ｖ０（最高レベルの階調電圧に相当。）及び最下位の基準電圧Ｖ１５（最低レベルの階調電圧に相当。）を除く、基準電圧Ｖ１〜Ｖ１４（各レベルの階調電圧に相当。）に対応する前記バッファ（オペアンプに相当。）への一定電圧ＶＤＤ１（電源に相当。）を供給し、
　前記基準電圧供給手段２（生成回路に相当。）は、階調を落とす場合（減色する場合に相当。）には、階調を落とすことにより（減色によりに相当。）表示に不要となるレベルの基準電圧（不要となるレベルの階調電圧に相当。）に対する前記バッファ（オペアンプに相当。）ヘ供給する一定電圧ＶＤＤ１（電源に相当。）を停止することによって、前記手動による８階調あるいは４階調のオプション階調の選択（減色モードを示すデータに相当。）に従って表示に必要となるレベルの基準電圧（必要となるレベルの階調電圧に相当。）を出力し、表示に不要となるレベルの基準電圧（不要となるレベルの階調電圧に相当。）の出力を停止することを特微とする、画像信号供給手段１、基準電圧供給手段２及びデコーダ３７（表示装置用駆動回路に相当。）。」（以下、「引用例１に記載された発明」という。）
　
　
４．対比
　本願発明と引用例１に記載された発明とを対比する。
　
　引用例１に記載された発明における、「アナログ画像信号」、「基準電圧」、「ディスプレイパネル３の画素部」、「画像信号供給手段１、基準電圧供給手段２及びデコーダ３７」、「電源電圧ＶＤＤ２」、「１６レベルの基準電圧Ｖ０〜Ｖ１５」、「基準電圧供給手段２」、「アナログ画像信号に応じたレベルの基準電圧」、「特定」、「デコーダ３７」は、それぞれ、
　本願発明における、「階調データ」、「階調電圧」、「画素部」、「表示装置用駆動回路」、「基準電圧」、「複数レベルの階調電圧」、「生成回路」、「階調データに応じたレベルの階調電圧」、「選定」、「セレクタ」に相当する。
　
　引用例１に記載された発明における、「最高位の基準電圧Ｖ０」、「最下位の基準電圧Ｖ１５」、「手動による８階調あるいは４階調のオプション階調の選択」、「基準電圧Ｖ１〜Ｖ１４」、「バッファ及びスイッチＳＷ１〜ＳＷ１４」は、それぞれ、
　本願発明における、「最高レベルの階調電圧」、「最低レベルの階調電圧」、「減色モードを示すデータ」、「各レベルの階調電圧」、「出力選択回路」に相当する。
　
　引用例１に記載された発明における、「階調を落とさない場合」、「基準電圧Ｖ１〜Ｖ１４」、「階調を落とす場合」、「階調を落とすことにより」、「不要となるレベルの基準電圧」は、それぞれ、
　本願発明における、「減色しない場合」、「複数レベルの階調電圧」、「減色する場合」、「減色により」、「不要となるレベルの階調電圧」に相当する。
　
　引用例１に記載された発明における、「直列に接続された抵抗Ｒ」、「バッファ」、「一定電圧ＶＤＤ１」、「必要となるレベルの基準電圧」は、それぞれ、
　本願発明における、「抵抗」、「オペアンプ」、「電源」、「必要となるレベルの階調電圧」に相当する。
　
　したがって、両者の一致点、相違点は、以下のとおりである。
　
【一致点】
「外部からの階調データに応じた階調電圧を画素部へ出力する表示装置用駆動回路において、
　基準電圧から複数レベルの階調電圧を生成するための生成回路と、
　前記階調データに応じたレベルの階調電圧を前記複数レベルの階調電圧の中から選択するセレクタとを備え、
　前記生成回路は、最高レベルの階調電圧及び最低レベルの階調電圧を出力し、
　前記生成回路は、前記外部からの減色モードを示すデータに従って、最高レベルの階調電圧及び最低レベルの階調電圧を除く、各レベルの階調電圧の出力数を制御する出力選択回路を備え、
　前記生成回路は、減色しない場合に、前記最高レベルの階調電圧及び最低レベルを除く複数レベルの階調電圧を前記出力選択回路から出力し、
　前記生成回路は、減色する場合に、減色により表示に不要となるレベルの階調電圧の出力を前記出力選択回路によって停止し、
　前記生成回路は、前記基準電圧を分割する抵抗と、分割後の電圧をバッファリングするオペアンプとを備え、
　前記生成回路は、最高レベルの階調電圧及び最低レベルの階調電圧に対応する前記オペアンプへの電源を供給し、
　前記生成回路は、減色しない場合に、前記最高レベルの階調電圧及び最低レベルの階調電圧を除く、各レベルの階調電圧に対応する前記オペアンプへの電源を供給し、
　前記生成回路は、減色する場合には、減色により表示に不要となるレベルの階調電圧に対する前記オペアンプヘ供給する電源を停止することによって、前記減色モードを示すデータに従って表示に必要となるレベルの階調電圧を出力し、表示に不要となるレベルの階調電圧の出力を停止することを特微とする表示装置用駆動回路。」
　
【相違点１】
「本願発明では、階調データは、ＲＧＢの各色ごとに多ビットを含んでいるのに対し、
　引用例１に記載された発明では、アナログ画像信号（階調データに相当。）は、そもそも、ＲＧＢの各色のデータを含んでいるかどうか不明である点」、
　
【相違点２】
「本願発明では、生成回路は、外部からの減色モードを示すデータによらず、最高レベルの階調電圧及び最低レベルの階調電圧を常に出力し、さらに、
　生成回路は、最高レベルの階調電圧及び最低レベルの階調電圧に対応するオペアンプへの電源を常に供給しているのに対し、
　引用例１に記載された発明では、基準電圧供給手段２（生成回路に相当。）は、外部からの、手動による８階調あるいは４階調のオプション階調の選択（減色モードを示すデータに相当。）によらず、基準電圧Ｖ０（最高レベルの階調電圧に相当。）及び基準電圧Ｖ１５（最低レベルの階調電圧に相当。）を常に出力しているとはいえず、さらに、
  基準電圧供給手段２（生成回路に相当。）は、基準電圧Ｖ０（最高レベルの階調電圧に相当。）及び基準電圧Ｖ１５（最低レベルの階調電圧に相当。）に対応するバッファ（オペアンプに相当。）への一定電圧ＶＤＤ１（電源に相当。）を常に供給しているとはいえない点」
　
　
５．判断
　そこで、上記【相違点１】について検討する。
　
　原査定の拒絶の理由に引用され、原出願の出願前に頒布された刊行物である特開平０８−０８７００２号公報にも、
　
「【００２６】従って、カラーの表示装置においては・・・
 【００２７】また、ＦＲＣを行わない場合は、３ビットの表示データによりＲ，Ｇ，Ｂ各色８階調表示が行われ、５１２色（８３色）のカラー表示を行うことが出来る。」
　
と記載されているように、
　
【周知の技術事項】
「カラーの表示装置においては、階調データは、ＲＧＢの各色ごとに多ビットを含んでいる。」
ことは周知の技術事項であるから、
　
　引用例１に記載された発明において、そのアナログ画像信号（階調データに相当。）を、ＲＧＢの各色ごとに多ビットを含んでいる階調データとし、
　画像信号供給手段１、基準電圧供給手段２及びデコーダ３７（表示装置用駆動回路に相当。）を、カラー表示装置用の駆動回路とすることは、当業者が容易になし得ることである。
　
　次に、上記【相違点２】について検討する。
　
  基準電圧供給手段２（生成回路に相当。）を、外部からの、手動による８階調あるいは４階調のオプション階調の選択（減色モードを示すデータに相当。）によらず、最高位の基準電圧Ｖ０（最高レベルの階調電圧に相当。）及び最下位の基準電圧Ｖ１５（最低レベルの階調電圧に相当。）を常に出力し、
  最高位の基準電圧Ｖ０（最高レベルの階調電圧に相当。）及び最下位の基準電圧Ｖ１５（最低レベルの階調電圧に相当。）に対応するバッファ（オペアンプに相当。）への一定電圧ＶＤＤ１（電源に相当。）を常に供給することは、
  階調数を落としても、コントラストが低下しないようにすることを考慮して、当業者が適宜なし得ることである。
　実際、引用例１に記載の、基準電圧供給手段２において、
１６階調から　４階調に階調を落とす場合（【００１１】参照。）、
１６階調から１０階調に階調を落とす場合（【００１２】参照。）の、どちらの場合でも、
　最高位の基準電圧Ｖ０及び最下位の基準電圧Ｖ１５は、出力されているし、
　最高位の基準電圧Ｖ０及び最下位の基準電圧Ｖ１５に対応するバッファへの一定電圧ＶＤＤ１も、供給されている。
　
　そして、本願発明の作用効果は、引用例１に記載された発明及び周知の技術事項から当業者が予測可能なものであって、格別なものではない。
　
　
６．むすび
　したがって、本願発明は、引用例１に記載された発明及び周知の技術事項に基づいて当業者が容易に発明をすることができたものであるから、特許法第２９条第２項の規定により特許を受けることができない。
　以上のとおりであるから、他の請求項に係る発明について審理するまでもなく、本願は拒絶すべきものである。
　よって、結論のとおり審決する。